(57)【特許請求の範囲】
【請求項１】
同一昇降路内で隣接する二台のエレベータそれぞれを制御する制御装置と両方の制御装置を連携させる群管理装置を有し、下記（１）〜（３）のように規定されるエレベータの運行システムにおいて、下記（４）を特徴とするエレベータの運行システム。
（１）前記制御装置は、カゴ呼びを受け付け、前記群管理装置へ報知する。前記制御装置は、受け付けたカゴ呼びを登録し、前記カゴ呼びの指定する階に自身の制御するエレベータが到着すると前記カゴ呼びの登録を抹消する。
（２）前記群管理装置は、乗場呼びを受け付け、受け付けた乗場呼びを前記制御装置に割り当てる。前記制御装置は、割り当てられた乗場呼びを登録し、前記乗場呼びの指定する階に自身の制御するエレベータが到着すると前記乗場呼びの登録を抹消する。
（３）前記群管理装置は、前記制御装置の状態を出発可または出発不可とするよう指令する。前記制御装置は、カゴ呼びまたは乗場呼びが登録されている場合、自身の状態が出発可であれば自身の制御するエレベータを出発させ、出発不可であれば前記エレベータを出発させない。
（４）前記群管理装置は、同一階に停止している両方のエレベータの戸が全閉となり、両方の制御装置にカゴ呼びも乗場呼びも登録されていない場合、両方の制御装置に対し出発不可とするよう指令する。その後、両方の制御装置にカゴ呼びまたは乗場呼びが登録された場合、片方の制御装置に対し出発可とするよう指令する。
【請求項２】
群管理装置は、少くとも一方の制御装置にカゴ呼びまたは乗場呼びが登録された場合、その時点から所定時間後に、両方の制御装置にカゴ呼びまたは乗場呼びが登録されているかどうかを判定した上で、片方の制御装置に対し出発可とするよう指令するのを特徴とする、請求項１に記載のエレベータの運行システム。
【請求項３】
群管理装置は、両方の制御装置にカゴ呼びまたは乗場呼びが登録され、両方の制御装置のエレベータを出発させようとする方向が同一ならば、片方の制御装置に対し出発可とするよう指令するのを特徴とする、請求項１または請求項２に記載のエレベータの運行システム。
【請求項４】
群管理装置は、エレベータを出発させようとする方向の階へ行くことを指定するカゴ呼びが片方の制御装置に登録されている場合、その制御装置に対し出発可とするよう指令するのを特徴とする、請求項３に記載のエレベータの運行システム。
【請求項５】
同一昇降路内で隣接する二台のエレベータそれぞれを制御する制御装置を有し、下記（１）〜（３）のように規定されるエレベータの運行方法において、下記（４）を特徴とするエレベータの運行方法。
（１）前記制御装置にカゴ呼びを受け付けさせる。受け付けたカゴ呼びを前記制御装置に登録させ、前記カゴ呼びの指定する階に自身の制御するエレベータが到着すると前記カゴ呼びの登録を抹消させる。
（２）受け付けた乗場呼びを前記制御装置に割り当てる。割り当てた乗場呼びを前記制御装置に登録させ、前記乗場呼びの指定する階に自身の制御するエレベータが到着すると前記乗場呼びの登録を抹消させる。
（３）前記制御装置の状態を出発可または出発不可とさせる。前記制御装置にカゴ呼びまたは乗場呼びが登録されている場合、自身の状態が出発可であれば自身の制御するエレベータを出発させ、出発不可であれば前記エレベータを出発させない。
（４）同一階に停止している両方のエレベータの戸が全閉となり、両方の制御装置にカゴ呼びも乗場呼びも登録されていない場合、両方の制御装置の状態を出発不可とする。その後、両方の制御装置にカゴ呼びまたは乗場呼びが登録された場合、片方の制御装置に対し出発可とする。
【請求項６】
少くとも一方の制御装置にカゴ呼びまたは乗場呼びが登録された場合、その時点から所定時間後に、両方の制御装置にカゴ呼びまたは乗場呼びが登録されているかどうかを判定した上で、片方の制御装置に対し出発可とするよう指令するのを特徴とする、請求項５に記載のエレベータの運行方法。
【請求項７】
両方の制御装置にカゴ呼びまたは乗場呼びが登録され、両方の制御装置のエレベータを出発させようとする方向が同一ならば、片方の制御装置に対し出発可とするよう指令するのを特徴とする、請求項５または請求項６に記載のエレベータの運行方法。
【請求項８】
エレベータを出発させようとする方向の階へ行くことを指定するカゴ呼びが片方の制御装置に登録されている場合、その制御装置に対し出発可とするよう指令するのを特徴とする、請求項７に記載のエレベータの運行方法。
【発明の詳細な説明】
【技術分野】
【０００１】
本発明は、同一昇降路内で隣接するエレベータが並走（並行して走行）することを回避する運行システムおよび運行方法に関するものである。
【背景技術】
【０００２】
同一昇降路内で隣接する二台のエレベータが並走した場合、大きな風音が発生して乗客に不安感を与えるため、特許文献１に示されるような風音対策が提案されている。それは、隣接する二台がそれぞれの停止階から出発するまでの時間を予測し、それらの時間の差が所定範囲に入る場合は並走するおそれがあるので、一台は直ぐに出発させ、もう一台は一定時間出発を阻止するというものである。どちらの出発を優先するかについては、両エレベータの運行方向が同一方向の場合は前方にあるエレベータを優先することや、サービス指標が悪い方のエレベータを優先することや、特殊運転中である方のエレベータを優先することや、戸開状態の継続時間が長い方のエレベータを優先することが提案されている。
【０００３】
以上のとおり特許文献１では、隣接する二台が並走する場合として、各エレベータがそれぞれ停止階から出発するまでの時間を予測し、それらの時間の差が所定範囲に入る場合を対象としているが、それ以外にも、両エレベータにおいて呼び登録が重複して発生することにより並走する場合がある。
【０００４】
それは、以下の（ｉ）と（ｉｉ）の条件が両方共に成立する場合である。
（ｉ）各エレベータを制御する「制御装置」とそれらの制御装置を連携させる「群管理装置」で構成され、各制御装置はカゴ呼びを受け付け、群管理装置は乗場呼びを受け付けた後、乗場呼びを一方の制御装置に割り当てる、というシステムであること。
（ｉｉ）両エレベータが同一階に停止して戸が全閉であり、両方の制御装置にカゴ呼びも乗場呼びも登録が無いとき、両方の制御装置でカゴ呼び受付とカゴ呼び受付が重複発生したり、カゴ呼び受付と乗場呼び割当が重複発生したりして、それらの呼びの指定する階が同一方向にあること。
【０００５】
上記で「カゴ呼び」とは、カゴ内で釦を押すことによって指定される階にエレベータが行ってほしいという要求のことであり、「乗場呼び」とは、乗場で釦を押すことによって指定される階にエレベータが来てほしいという要求のことである。これらの階を「カゴ呼びの指定する階」や「乗場呼びの指定する階」と称する。なお、カゴ呼びと乗場呼びを総称して単に「呼び」と言う。
【０００６】
また、呼びの「登録」「抹消」という言葉を次のような意味で使う。すなわち、各制御装置は、受け付けたカゴ呼びや、割り当てられた乗場呼びの指定する階へ向けて、自身の制御するエレベータを出発させ、それらの階に到着させる。カゴ呼びを受け付けたり乗場呼びが割り当てられたりすると、各制御装置は内部の記憶領域にそれらの呼びを「登録」し、それらの呼びの指定する階にエレベータが到着すると、それらの呼びの登録を「抹消」する。
【０００７】
以下、両方の制御装置で乗場呼び割当と乗場呼び割当が重複する場合を図７で、カゴ呼び受付とカゴ呼び受付が重複する場合を図８で、カゴ呼び受付と乗場呼び割当が重複する場合を図９で説明する。図７〜図９には、エレＡ、エレＢと名づけた各エレベータを制御するエレＡ制御装置とエレＢ制御装置について、それぞれの内部状態や群管理装置とのやりとりが時間経過によってどう変化するかが示されている。
【０００８】
なお、両方の各制御装置はそれぞれ出発可否状態という内部状態を持ち、「出発可」または「出発不可」の値をとる（両方を総称して「出発可否」と言う）。初期設定は出発可とし、群管理装置からの出発可否指令により切り替る。各制御装置は、カゴ呼びの受付や乗場呼びの割当がある場合、出発可であれば自身の制御するエレベータを出発させ、出発不可であれば出発させない。
【０００９】
図７により、乗場呼び割当と乗場呼び割当が重複する場合は両エレベータが並走しないことを説明する。群管理装置が、上方の階へ行くことを指定する乗場呼びを２つ受け付け、一方の乗場呼びをエレＡ制御装置に割り当てると同時に他方の乗場呼びをエレＢ制御装置に割り当てる場合である。このとき群管理装置は乗場呼びを両方の制御装置に割り当てるのと同時に、エレＢのみに出発不可とするよう指令し、両エレベータが並走することを阻止することができる。
【００１０】
図８により、カゴ呼び受付とカゴ呼び受付が重複する場合に両エレベータが並走してしまうことを説明する。エレＡ制御装置が、上方の階へ行くことを指定するカゴ呼びを受け付けると同時に、エレＢ制御装置も、上方の階へ行くことを指定するカゴ呼びを受け付ける場合である。エレＡ制御装置はカゴ呼びを受け付けると直ぐにエレＡを出発させると共に、群管理装置へカゴ呼びを報知する。エレＢ制御装置もカゴ呼びを受け付けると直ぐにエレＢを出発させると共に、群管理装置へカゴ呼びを報知する。群管理装置は両エレベータでカゴ呼び受付が発生したことを知ってエレＢに出発不可とするよう指令するが、エレＢはすでに出発していて指令に従うことができない。そのため両エレベータが並走してしまうことになっていた。
【００１１】
このときの問題点は、両方の制御装置がカゴ呼びを受け付けたことによってそれぞれの制御するエレベータが直ぐに出発してしまうのに対し、群管理装置はカゴ呼びを認知するのがワンテンポ遅れ、片方の制御装置に出発不可とするよう指令しても間に合わない点である。
【００１２】
図９により、カゴ呼び受付と乗場呼び割当が重複する場合に両エレベータが並走してしまうことを説明する。エレＡ制御装置が、上方の階へ行くことを指定するカゴ呼びを受け付けると同時に、群管理装置が、上方の階へ行くことを指定する乗場呼びを受け付ける場合である。エレＡ制御装置はカゴ呼びを受け付けると直ぐにエレＡを出発させると共に、群管理装置へカゴ呼びを報知する。群管理装置は乗場呼びを受け付けると乗場呼びをエレＢ制御装置に割り当て、エレＢ制御装置はエレＢを直ぐに出発させる。群管理装置は乗場呼びを受け付けた後にエレＡ制御装置からカゴ呼びを報知されるので、乗場呼び割当とカゴ呼び受付が重複発生していたとは認識せず、エレＢ制御装置に出発不可とするよう指令することがない。よって両エレベータが並走してしまうことになっていた。
【００１３】
このときの問題点は、群管理装置が乗場呼びを受け付けた後で、乗場呼びを割り当てる制御装置とは別の制御装置からカゴ呼びが報知されるという場合があることを想定して、その場合は乗場呼びを割り当てる制御装置に出発不可を指令すべきであるのに、そのような想定がなされていない点である。
【先行技術文献】
【特許文献】
【００１４】
【特許文献１】特許第３４１２２０４号公報
【発明の概要】
【発明が解決しようとする課題】
【００１５】
以上述べたとおり、同一昇降路内で隣接する両エレベータが同一階に停止し戸が全閉となっていて、両エレベータの制御装置において呼びの登録が無い状態から、カゴ呼び受付とカゴ呼び受付が重複発生したり、カゴ呼び受付と乗場呼び割当が重複発生したりして、それらの呼びの指定する階が同一方向にある場合、両エレベータが並走し風音が発生してしまうことが問題であった。これを解決しようとするのが本発明である。
【課題を解決するための手段】
【００１６】
本発明は、同一昇降路内で隣接する二台のエレベータそれぞれを制御する制御装置と両方の制御装置を連携させる群管理装置を有し、下記（１）〜（３）のように規定されるエレベータの運行システムにおいて、下記（４）を特徴とするものである。
（１）前記制御装置は、カゴ呼びを受け付け、前記群管理装置へ報知する。前記制御装置は、受け付けたカゴ呼びを登録し、前記カゴ呼びの指定する階に自身の制御するエレベータが到着すると前記カゴ呼びの登録を抹消する。
（２）前記群管理装置は、乗場呼びを受け付け、受け付けた乗場呼びを前記制御装置に割り当てる。前記制御装置は、割り当てられた乗場呼びを登録し、前記乗場呼びの指定する階に自身の制御するエレベータが到着すると前記乗場呼びの登録を抹消する。
（３）前記群管理装置は、前記制御装置の状態を出発可または出発不可とするよう指令する。前記制御装置は、カゴ呼びまたは乗場呼びが登録されている場合、自身の状態が出発可であれば自身の制御するエレベータを出発させ、出発不可であれば前記エレベータを出発させない。
（４）前記群管理装置は、同一階に停止している両方のエレベータの戸が全閉となり、両方の制御装置に乗場呼びもカゴ呼びも登録されていない場合、両方の制御装置に対し出発不可とするよう指令する。その後、両方の制御装置にカゴ呼びまたは乗場呼びが登録された場合、片方の制御装置に対し出発可とするよう指令する。
【００１７】
また本発明は、同一昇降路内で隣接する二台のエレベータそれぞれを制御する制御装置を有し、下記（１）〜（３）のように規定されるエレベータの運行方法において、下記（４）を特徴とするものである。
（１）前記制御装置にカゴ呼びを受け付けさせる。受け付けたカゴ呼びを前記制御装置に登録させ、前記カゴ呼びの指定する階に自身の制御するエレベータが到着すると前記カゴ呼びの登録を抹消させる。
（２）受け付けた乗場呼びを前記制御装置に割り当てる。割り当てた乗場呼びを前記制御装置に登録させ、前記乗場呼びの指定する階に自身の制御するエレベータが到着すると前記乗場呼びの登録を抹消させる。
（３）前記制御装置の状態を出発可または出発不可とさせる。前記制御装置にカゴ呼びまたは乗場呼びが登録されている場合、自身の状態が出発可であれば自身の制御するエレベータを出発させ、出発不可であれば前記エレベータを出発させない。
（４）同一階に停止している両方のエレベータの戸が全閉となり、両方の制御装置にカゴ呼びも乗場呼びも登録されていない場合、両方の制御装置の状態を出発不可とする。その後、両方の制御装置にカゴ呼びまたは乗場呼びが登録された場合、片方の制御装置に対し出発可とする。
【発明の効果】
【００１８】
両エレベータが同一階に停止し戸が全閉となっていて両方の制御装置に呼びの登録が無い状態で、両方の制御装置は自身の状態を出発不可へ切り替えるので、その後、両方の制御装置でカゴ呼び受付とカゴ呼び受付が重複発生したり、カゴ呼び受付と乗場呼び割当が重複発生したりしても、そのことを認識した後で一方の制御装置だけ出発可へ切り替えることができるので、一方のエレベータしか直ぐに出発することはない。したがって、両方のエレベータが並走することがないので、風音発生が避けられる。
【図面の簡単な説明】
【００１９】
【図１】本発明で、群管理装置と各制御装置の構成要素および要素間の関係を模式的に示す図。
【図２】本発明で、群管理装置が各制御装置に出発可否を指令する手順を示すフローチャート。
【図３】本発明で、群管理装置と各制御装置の、呼びデータや出発可否データのやりとりが時間的にどう推移するかを示す図（ただし乗場呼び割当と乗場呼び割当の重複時）。
【図４】図３と同趣旨の図（ただしカゴ呼び受付とカゴ呼び受付の重複時）。
【図５】図３と同趣旨の図（ただしカゴ呼び受付と乗場呼び割当の重複時）。
【図６】図３と同趣旨の図（ただし乗場呼び割当とカゴ呼び受付の重複時）。
【図７】従来、群管理装置と各制御装置の、呼びデータや出発可否データのやりとりが時間的にどう推移したかを示す図（ただし乗場呼び割当と乗場呼び割当の重複時）。
【図８】図７と同趣旨の図（ただしカゴ呼び受付とカゴ呼び受付の重複時）。
【図９】図８と同趣旨の図（ただしカゴ呼び受付と乗場呼び割当の重複時）。
【発明を実施するための形態】
【００２０】
本発明の実施される一形態を以下、図１〜図６を使って説明する。
【００２１】
〔本発明の構成要素〕
図１によりエレベータ運行システムの構成要素を説明する。なお、同一昇降路内で隣接する２台のエレベータをそれぞれエレＡ、エレＢと呼ぶことにする。図１の１０はエレＡを制御するエレＡ制御装置であり、２０はエレＢを制御するエレＢ制御装置である。３０は、両方の制御装置１０と２０を連携させる群管理装置である。
【００２２】
両方の制御装置１０と２０はそれぞれ出発可否状態という内部状態を持ち、「出発可」または「出発不可」の値をとる（両方を総称して「出発可否」と言う）。初期設定は出発可とし、群管理装置３０からの出発可否指令により切り替る。
【００２３】
１０４は、エレＡのカゴ室（図示省略）に設けられた、行先階を指定するためのカゴ呼び入力手段であり、例えば行先階ごとの釦スイッチである。エレＢにも同様のカゴ呼び入力手段２０４がある。３０１は、エレＡとエレＢに共通の乗場（図示省略）に設けられ、乗場の階にエレベータが来るよう指定すると共に、到着後の行先方向を指定するための乗場呼び入力手段であり、例えば上方を指定する釦スイッチと下方を指定する釦スイッチである。
【００２４】
エレＡ制御装置１０を構成する各手段を説明する。１２は、群管理装置３０から割り当てられた乗場呼びを受け取る乗場呼び受取手段である。１３は、群管理装置３０から出された出発可否指令を受け取る出発可否受取手段である。１４は、カゴ呼び入力手段１０４で入力されたカゴ呼びを受け付けるカゴ呼び受付手段である。１５は、受け付けたカゴ呼びを群管理装置３０へ報知するためのカゴ呼び報知手段である。１６は、エレＡが走行中か停止中か、どの階に停止しているか、戸が全閉かどうか等の、エレＡの状態を群管理装置に報知するエレ状態報知手段である。１９は、エレＡを走行させたり停止させたりの制御をする走行制御手段である。
【００２５】
エレＢの制御装置２０を構成する各手段を説明する。２２は、群管理装置３０から割り当てられた乗場呼びを受け取る乗場呼び受取手段である。２３は、群管理装置３０から出された出発可否指令を受け取る出発可否受取手段である。２４は、カゴ呼び入力手段２０４で入力されたカゴ呼びを受け付けるカゴ呼び受付手段である。２５は、受け付けたカゴ呼びを群管理装置３０へ報知するためのカゴ呼び報知手段である。２６は、エレＢが走行中か停止中か、どの階に停止しているか、戸が全閉かどうか等の、エレＢの状態を群管理装置に報知するエレ状態報知手段である。２９は、エレＢを走行させたり停止させたりの制御をする走行制御手段である。
【００２６】
群管理装置３０を構成する各手段を説明する。３１は、乗場呼び入力手段３０１で入力された乗場呼びを受け付ける乗場呼び受付手段である。３２は、受け付けた乗場呼びをエレＡ制御装置１０またはエレＢ制御装置２０へ割り当てる乗場呼び割当手段である。３３は、エレＡ制御装置１０またはエレＢ制御装置２０へ出発可否指令を発する出発可否指令手段である。３５は、エレＡ制御装置１０およびエレＢ制御装置２０からカゴ呼びを報知されるカゴ呼び認知手段である。３６は、エレＡ制御装置１０およびエレＢ制御装置２０からエレＡの状態およびエレＢの状態を報知されるエレ状態認知手段である。
【００２７】
以上述べたエレＡ制御装置１０、エレＢ制御装置２０、群管理装置３０はそれぞれ、例えばマイクロコンピュータを中核としたプリント回路で構成することができ、このプリント回路のデータ加工処理、記憶内容書き換え処理によって各装置内の各手段を構成することができる。またプリント回路の送受信処理によって各装置間のデータのやりとりを構成することができる。
【００２８】
エレＡ制御装置１０とエレＢ制御装置２０はそれぞれ、カゴ呼びを受け付けたり乗場呼びを割り当てられたりしたときにカゴ呼びや乗場呼びを内部の記憶領域に登録し、それらの呼びの指定する階にエレベータが到着すると登録を抹消する。
【００２９】
〔各手段の間の関係〕
次に、エレＡ制御装置１０、エレＢ制御装置２０、群管理装置３０を構成する各手段の間の関係について述べる。
【００３０】
群管理装置３０からエレＡ制御装置１０に乗場呼びを割り当てる際は、乗場呼び割当手段３２から乗場呼び受取手段１２へ乗場呼びデータを送信する。また群管理装置３０からエレＢ制御装置２０に乗場呼びを割り当てる際は、乗場呼び割当手段３２から乗場呼び受取手段２２へ乗場呼びデータを送信する。
【００３１】
エレＡ制御装置１０から群管理装置３０にカゴ呼びを報知する際は、カゴ呼び報知手段１５からカゴ呼び認知手段３５へカゴ呼びデータを送信する。またエレＢ制御装置１０から群管理装置３０にカゴ呼びを報知する際は、カゴ呼び報知手段２５からカゴ呼び認知手段３５へカゴ呼びデータを送信する。
【００３２】
エレＡ制御装置１０から群管理装置３０にエレＡの状態を報知する際は、エレ状態報知手段１６からエレ状態認知手段３６へエレ状態データを送信する。またエレＢ制御装置２０から群管理装置３０にエレＢの状態を報知する際は、エレ状態報知手段２６からエレ状態認知手段３６へエレ状態データを送信する。
【００３３】
群管理装置３０内では、乗場呼び割当手段３２からの乗場呼びデータと、カゴ呼び認知手段３５からのカゴ呼びデータと、エレベータ状態認知手段３６からのエレ状態データにより、出発可否指令手段３３で出発可否データを生成する。
【００３４】
群管理装置３０からエレＡ制御装置１０へ出発可否を指令する際は、出発可否指令手段３３から出発可否受取手段１３へ出発可否データを送信する。また群管理装置３０からエレＢ制御装置２０へ出発可否を指令する際は、出発可否指令手段３３から出発可否受取手段２３へ出発可否データを送信する。
【００３５】
エレＡ制御装置１０内では、乗場呼び受取手段１２からの乗場呼びデータまたは、カゴ呼び受付手段１４からのカゴ呼びデータが存在し、出発可否受取手段１３からの出発可否データが出発可であれば、走行制御手段１９がエレＡを停止階から出発させ、呼びの指定する階まで走行させ、到着させる。またエレＢ制御装置２０内では、乗場呼び受取手段２２からの乗場呼びデータまたは、カゴ呼び受付手段２４からのカゴ呼びデータが存在し、出発可否受取手段２３からの出発可否データが出発可であれば、走行制御手段２９がエレＢを停止階から出発させ、呼びの指定する階まで走行させ、到着させる。
【００３６】
〔群管理装置の制御手順〕
以下では図２により群管理装置３０の制御手順を説明する。その手順とは、同一昇降路内で隣接するエレＡとエレＢが同一階に停止し戸が全閉となっていて、エレＡ制御装置１０とエレＢ制御装置２０に呼びの登録が無い状態で、少なくとも一方の制御装置で新たに呼びが登録されたときに、群管理装置３０がエレＡ制御装置１０やエレＢ制御装置２０に対し、いつどのように出発可否指令を発するのかという手順である。なお出発可否状態の初期値は、両方の制御装置１０と２０とも出発可である。
【００３７】
群管理装置３０は初めにステップＳ１で「両方の制御装置１０と２０にカゴ呼びや乗場呼びの登録が無く、両エレベータが同一階に停止している」かどうかを判定する。ＮＯならばステップＳ１を繰り返し、ＹＥＳならばステップＳ２へ進む。ステップＳ２では「両エレベータとも戸が全閉である」かどうかを判定する。ＮＯならばステップＳ１へ戻り、ＹＥＳならばステップＳ３へ進む。ステップＳ３では、両方の制御装置１０と２０に出発可から出発不可へ切り替えるよう指令する。
【００３８】
続くステップＳ４では「少くとも一方の制御装置１０または２０にカゴ呼びまたは乗場呼びが一つでも登録された後、第１所定時間が経過した」かどうかを判定する。第１所定時間とは、群管理装置３０が乗場呼びを受け付けたと同時にエレＡ制御装置１０またはエレＢ制御装置２０がカゴ呼びを受け付けたという場合に、その時点からどれだけの時間が経過すれば群管理装置３０がカゴ呼びを認知することができるかという時間を見積ったものである（例えば０．１秒）。ステップ４での判定結果がＮＯならばステップＳ４を繰り返し、ＹＥＳならばステップＳ５へ進む。ステップＳ５では、エレＡ制御装置１０とエレＢ制御装置２０の「どちらに呼びが登録されているのか」あるいは「どちらにも登録されているのか」を判定する。
【００３９】
ステップＳ５で、エレＡ制御装置１０のみに呼びが登録されていると判定した場合はステップＳ１１に進み、エレＢ制御装置２０のみに呼びが登録されていると判定した場合はステップＳ２１に進む。
【００４０】
ステップＳ５で、両方の制御装置１０と２０に呼びが登録されていると判定した場合はステップＳ６へ進む。エレＡ制御装置１０において最初に登録された呼びの指定する階が、停止階の上方にあるのか下方にあるのかに応じ、エレＡ制御装置１０はエレＡの行先方向を上方か下方かに決定する。同様にしてエレＢ制御装置２０もエレＢの行先方向を決定する。エレＡ制御装置１０の決定した行先方向とエレＢ制御装置２０の決定した行先方向が同一方向かどうかをステップＳ６で判定する。ＮＯならばステップＳ３１へ進み、ＹＥＳならばステップＳ７へ進む。ステップＳ７では「両方の制御装置１０と２０で同一な行先方向の階へ行くことを指定する呼びとして、カゴ呼びが、エレＡ制御装置１０では登録されておらずエレＢ制御装置２０では登録されている」かどうかを判定する。ＮＯならばステップＳ１１へ進み、ＹＥＳならばステップＳ２１へ進む。
【００４１】
ステップＳ１１では、エレＡ制御装置１０に対し出発不可から出発可へ切り替えるよう指令する。するとエレＡ制御装置１０は、登録された呼びの指定する階に向けエレＡを出発させる。群管理装置３０は、続くステップＳ１２で、エレＡが出発してから第２所定時間が経過したかどうかを判定する。第２所定時間とは、隣接するエレベータの一方が出発してどれだけ時間が経ってから他方が出発すれば並走による風音発生が避けられるかを見積ったものである。ステップＳ１２の判定結果がＮＯならばステップＳ１２を繰り返し、ＹＥＳならばステップＳ１３へ進む。ステップＳ１３では、エレＡ制御装置１０に対し出発不可から出発可へ切り替えるよう指令する。その後、ステップＳ１へ戻る。
【００４２】
ステップＳ２１では、エレＢ制御装置２０に対し出発不可から出発可へ切り替えるよう指令する。するとエレＢ制御装置２０は、登録された呼びの指定する階に向けてエレＢを出発させる。群管理装置３０は、続くステップＳ２２で、エレＢが出発してから第２所定時間が経過したかどうかを判定する。判定結果がＮＯならばステップＳ２２を繰り返し、ＹＥＳならばステップＳ２３へ進む。ステップＳ２３では、エレＢ制御装置２０に対して出発不可から出発可へ切り替えるよう指令する。その後、ステップＳ１へ戻る。
【００４３】
ステップＳ３１では、両方の制御装置１０と２０に対し出発不可から出発可へ切り替えるよう指令する。その後、ステップＳ１へ戻る。
【００４４】
〔行先方向が同一方向である場合の詳細〕
上述したステップＳ７において、エレＡとエレＢの行先方向が同一方向である場合に、その方向の階を指定するカゴ呼びが登録されているかどうかによって異る対応をしているが、その点について詳細説明する。このようなカゴ呼びが、エレＡ制御装置１０では登録されているのかどうかで２通り、またエレＢ制御装置２０では登録されているのかどうかで２通りがあり、この両方を掛け合せた４通りを以下説明する。
【００４５】
両方の制御装置１０と２０でカゴ呼びが登録されていない（乗場呼びだけ登録されている）場合を図３で説明する。この場合、群管理装置３０で乗場呼び２つを重複して受け付けた後、両方の制御装置１０と２０に１つずつ割り当てる場合を考える。このとき群管理装置３０はエレＡ制御装置１０に対し、乗場呼びを割り当てると同時に出発不可から出発可へ切り替えるよう指令する。一方、エレＢ制御装置２０に対しては乗場呼びを割り当てるのみで、出発不可から切り替えるような指令はしない。よってエレＡだけ出発することになり、エレＡとエレＢの並走が避けられる。以上は、乗場呼びの割当個数が一つずつより多い場合でも同様である。
【００４６】
両方の制御装置１０と２０でカゴ呼びが登録されている場合（乗場呼びの登録が有りの場合と無しの場合、両方を含む）を図４で説明する。この場合、両方の制御装置１０と２０で１つずつカゴ呼びを受け付け、それぞれが群管理装置３０へ報知され、群管理装置３０でカゴ呼びを重複して認知した場合を考える。このとき群管理装置３０はエレＡ制御装置１０に対し、出発不可から出発可へ切り替える指令する。一方、エレＢ制御装置２０に対しては、出発不可から切り替えるような指令はしない。よってエレＡだけ出発することとなり、エレＡとエレＢの並走が避けられる。以上は、カゴ呼びの受付個数が１つずつより多い場合でも同様である。
【００４７】
以上述べたように、両方のエレベータでカゴ呼びが登録されていない場合や、両方のエレベータでカゴ呼びが登録されている場合には、エレＡだけ出発させる方針を採っている。
【００４８】
エレＡにはカゴ呼びが登録されている（乗場呼びの登録が有りの場合と無しの場合、両方を含む）場合であって、エレＢにはカゴ呼びが登録されていない（乗場呼びだけ登録されている）場合を図５で説明する。この場合、群管理装置３０で乗場呼びを１つ受け付けた後、エレＢ制御装置２０に割り当てるのと、エレＡ制御装置１０でカゴ呼びを１つ受け付けた後、群管理装置３０に報知されるのとが、群管理装置３０で重複して認識された場合を考える。このとき群管理装置３０はエレＡ制御装置１０に対し、出発不可から出発可へ切り替えるよう指令する。一方、エレＢ制御装置２０に対しては乗場呼びを割り当てるのみで、出発不可から切り替えるような指令はしない。よってエレＡだけ出発することとなり、エレＡとエレＢの並走が避けられる。以上は、乗場呼びの割当個数が１つより多い場合、カゴ呼びの受付個数が１つより多い場合でも同様である。
【００４９】
エレＢにはカゴ呼びが登録されている（乗場呼びの登録が有りの場合と無しの場合、両方を含む）場合であって、エレＡにはカゴ呼びが登録されていない（乗場呼びだけ登録されている）場合を図６で説明する。この場合、群管理装置３０で乗場呼びを１つ受け付けた後、エレＡ制御装置１０に割り当てるのと、エレＢ制御装置２０でカゴ呼びを１つ受け付けた後、群管理装置３０に報知されるのとが、群管理装置３０で重複して認識された場合を考える。このとき群管理装置３０はエレＢ制御装置２０に対し、出発不可から出発可へ切り替えるよう指令する。一方、エレＡ制御装置１０に対しては乗場呼びを割り当てるのみで、出発不可から切り替えるような指令はしない。よってエレＢだけ出発することとなり、エレＡとエレＢの並走が避けられる。以上は、乗場呼びの割当個数が１つより多い場合、カゴ呼びの受付個数が１つより多い場合でも同様である。
【００５０】
以上述べたように、カゴ呼びが登録されているエレベータとカゴ呼びが登録されていないエレベータが同時に出発しようとする場合には、カゴ呼びが登録されているエレベータだけ出発させる方針を採っている。
【００５１】
〔実施形態による効果〕
上述した実施形態によれば次の効果が得られる。すなわち、同一昇降路内で隣接する両エレベータが同一階に停止し戸が全閉となっていて両方の制御装置１０と２０に呼びの登録が無い状態で、群管理装置３０は両方の制御装置１０と２０に対し、出発可否状態を出発可から出発不可へ切り替えるよう指令するので、その後、両方の制御装置１０と２０においてカゴ呼び受付とカゴ呼び受付が重複したり、カゴ呼び受付と乗場呼び割当が重複したりしても、そのことを群管理装置３０が認識してから、一方の制御装置にだけ出発可へ切り替えるよう指令することができるので、一方のエレベータしか直ぐに出発することはない。したがって両方のエレベータが並走することがないので、風音発生が避けられる。
【００５２】
また、群管理装置３０が乗場呼びを受け付けた時点で、乗場呼びをエレＢ制御装置２０に割り当てると共に、その時点から第１所定時間が経過するまでエレＡ制御装置１０からのカゴ呼び報知を待つということができるので、乗場呼びによるエレＢの出発と、カゴ呼びによるエレＡの出発が競合する状況で、エレＡ制御装置１０にだけ出発可へ切り替えるよう指令することができ、エレＡしか出発せず、両エレベータが並走することはない。エレＡとエレＢの役割が入れ替った場合も、エレＢしか出発せず、両エレベータが並走することはない。
【符号の説明】
【００５３】
１０４…エレＡのカゴ呼び入力手段、２０４…エレＢのカゴ呼び入力手段、３０１…エレＡとエレＢに共通の乗場呼び入力手段、
１０…エレＡ制御装置、１２…乗場呼び受取手段、１３…出発可否受取手段、１４…カゴ呼び受付手段、１５…カゴ呼び報知手段、１６…エレ状態報知手段、１９…走行制御手段、
２０…エレＢの制御装置、２２…乗場呼び受取手段、２３…出発可否受取手段、２４…カゴ呼び受付手段、２５…カゴ呼び報知手段、２６…エレ状態報知手段、２９…走行制御手段、
３０…群管理装置、３１…乗場呼び受付手段、３２…乗場呼び割当手段、３３…出発可否指令手段、３５…カゴ呼び認知手段、３６…エレ状態認知手段。
【図１】
0005870750.tif 000002
【図２】
0005870750.tif 000003
【図３】
0005870750.tif 000004
【図４】
0005870750.tif 000005
【図５】
0005870750.tif 000006
【図６】
0005870750.tif 000007
【図７】
0005870750.tif 000008
【図８】
0005870750.tif 000009
【図９】
0005870750.tif 000010